(57)【要約】【課題】  電気的な特性が異なる複数のラインに適用できると共に、複数のライン間でクロストークの発生を抑制する。【解決手段】  コモンモードチョークコイルアレイ１は、第１，第２のコモンモードチョークコイル３，１７を厚さ方向に積み重ねて形成する。このとき、第１のコモンモードチョークコイル３の第１コイル６，７は、第２のコモンモードチョークコイル１７の第２コイル２０，２１よりも線路の幅寸法Ｔ1を大きく形成する。また、積層体２の端面には、第１のコモンモードチョークコイル３の第１外部端子電極３２，３３，３６，３７の間に位置して、第２のコモンモードチョークコイル１７の第２外部端子電極３４，３５，３８，３９を配置する。これにより、外部端子電極３２〜３９をＵＳＢコネクタの端子の配置に合わせることができる。【選択図】        図２
2009010115.tif 000002
【特許請求の範囲】
【請求項１】
一対の第１コイルが絶縁層を挟んで積層された第１のコモンモードチョークコイルと、該第１のコモンモードチョークコイルに対して厚さ方向に積み重ねて設けられ一対の第２コイルが絶縁層を挟んで積層された第２のコモンモードチョークコイルとからなるコモンモードチョークコイルアレイにおいて、
前記第１コイルと第２コイルとは、互いに異なる電気的な特性を有し、
前記一対の第１コイルは、一対の第１外部端子電極にそれぞれ接続し、
前記一対の第２コイルは、一対の第２外部端子電極にそれぞれ接続し、
該一対の第２外部端子電極は、前記一対の第１外部端子電極の間に配置する構成としたことを特徴とするコモンモードチョークコイルアレイ。
【請求項２】
前記第１のコモンモードチョークコイルは、前記一対の第１コイルを厚さ方向の両側から挟む一対の第１磁性層を備え、
前記第２のコモンモードチョークコイルは、前記一対の第２コイルを厚さ方向の両側から挟む一対の第２磁性層を備え、
前記第１，第２のコモンモードチョークコイルの間には、第１磁性層と第２磁性層との間に位置して非磁性体材料からなる非磁性層を設ける構成としてなる請求項１に記載のコモンモードチョークコイルアレイ。
【請求項３】
前記第１コイルは、前記第２コイルよりも線路の幅寸法を大きくした構成としてなる請求項１または２に記載のコモンモードチョークコイルアレイ。
【請求項４】
前記第１コイルは、前記第２コイルよりも線路長を短くした構成としてなる請求項３に記載のコモンモードチョークコイルアレイ。
【発明の詳細な説明】
【技術分野】
【０００１】
本発明は、複数のコモンモードチョークコイルを備えたコモンモードチョークコイルアレイに関する。
【背景技術】
【０００２】
一般に、コモンモードチョークコイルアレイとして、一対のコイルが積層された第１のコモンモードチョークコイルと、該第１のコモンモードチョークコイルに対して厚さ方向に積み重ねて設けられ一対のコイルが絶縁層を挟んで積層された第２のコモンモードチョークコイルとを備えたものが知られている（例えば、特許文献１参照）。このような従来技術では、一対のコイルに互いに同じ方向の信号が伝搬するコモンモードに対して、インピーダンス（コモンモードインピーダンス）が高くなる。これに対し、一対のコイルに互いに逆方向の信号が伝搬するノーマルモードに対して、インピーダンス（ノーマルモードインピーダンス）が低くなる。これにより、第１，第２のコモンモードチョークコイルは、ノーマルモードの信号を通過させるのに対し、コモンモードのノイズを除去する構成となっている。
【０００３】
【特許文献１】特開２００６−３５１９６２号公報
【発明の開示】
【発明が解決しようとする課題】
【０００４】
ところで、近年ＵＳＢ（Universal Serial Bus）のケーブルから放射されるノイズを低減するために、コモンモードチョークコイルが使用されている。この場合、ＵＳＢのデータラインにコモンモードチョークコイルを挿入することによって、データラインのコモンモードノイズを抑制する。しかし、実際にはデータライン以外の線路（電源ラインおよびグランドライン）にもノイズが伝搬すると共に、このノイズが外部に放射されることがある。このような電源ライン等のノイズの対策として、電源ライン、グランドラインにフェライトビーズ等のインダクタンス素子をそれぞれ接続する方法が考えられるが、この方法ではインダクタンス素子がディファレンシャルインピーダンス（ノーマルモードのインピーダンス）を有するから、このインピーダンスによってＵＳＢ接続機器の動作が不安定にある可能性がある。
【０００５】
一方、ＵＳＢのノイズを抑制するために、従来技術のようなコモンモードチョークコイルアレイを使用する構成も考えられる。この場合、例えば電源ラインおよびグランドラインに対して第２のコモンモードチョークコイルを接続すると共に、一対のデータラインに対して第１のコモンモードチョークコイルを接続する。しかし、従来技術では、一般的に複数のコモンモードチョークコイルは、電気的な特性が同じものが実装されている。これに対し、ＵＳＢのデータラインと電源ライン等では求められる電気的な特性が異なるから、従来技術によるコモンモードチョークコイルアレイは適用し難いという問題がある。
【０００６】
また、従来技術によるコモンモードチョークコイルアレイでは、隣合う２個の外部端子電極を一対とした構成となっている。即ち、入力側の４個の外部端子電極が一列に並んで設けられた場合には、一側の２個の外部端子電極を第１のコモンモードチョークコイルの一対のコイルに接続し、他側の２個の外部端子電極を第２のコモンモードチョークコイルの一対のコイルに接続する構成となっている。このとき、出力側の４個の外部端子電極も、同様な構成となっている。
【０００７】
これに対し、ＵＳＢコネクタでは、４個の端子が一列に並んで設けられたときに、電源端子およびグランド端子は４個の端子のうち両端側に配置されている。このため、従来技術によるコモンモードチョークコイルアレイをＵＳＢコネクタに接続した場合には、ＵＳＢコネクタの端子配置に合わせるために、例えばコモンモードチョークコイルアレイが実装された回路基板上で線路パターンを引き回す必要があり、この線路パターンの引き回しに伴ってクロストークが生じるという問題がある。
【０００８】
本発明は上述した従来技術の問題に鑑みなされたもので、本発明の目的は、電気的な特性が異なる複数のラインに適用できると共に、複数のライン間でクロストークの発生を抑制することができるコモンモードチョークコイルアレイを提供することにある。
【課題を解決するための手段】
【０００９】
上述した課題を解決するために、請求項１の発明は、一対の第１コイルが絶縁層を挟んで積層された第１のコモンモードチョークコイルと、該第１のコモンモードチョークコイルに対して厚さ方向に積み重ねて設けられ一対の第２コイルが絶縁層を挟んで積層された第２のコモンモードチョークコイルとからなるコモンモードチョークコイルアレイにおいて、前記第１コイルと第２コイルとは、互いに異なる電気的な特性を有し、前記一対の第１コイルは、一対の第１外部端子電極にそれぞれ接続し、前記一対の第２コイルは、一対の第２外部端子電極にそれぞれ接続し、該一対の第２外部端子電極は、前記一対の第１外部端子電極の間に配置する構成としたことを特徴としている。
【００１０】
請求項２の発明では、前記第１のコモンモードチョークコイルは、前記一対の第１コイルを厚さ方向の両側から挟む一対の第１磁性層を備え、前記第２のコモンモードチョークコイルは、前記一対の第２コイルを厚さ方向の両側から挟む一対の第２磁性層を備え、前記第１，第２のコモンモードチョークコイルの間には、第１磁性層と第２磁性層との間に位置して非磁性体材料からなる非磁性層を設ける構成としている。
【００１１】
請求項３の発明では、前記第１コイルは、前記第２コイルよりも線路の幅寸法を大きくした構成としている。
【００１２】
請求項４の発明では、前記第１コイルは、前記第２コイルよりも線路長を短くした構成としている。
【発明の効果】
【００１３】
請求項１の発明によれば、第１コイルと第２コイルとは互いに異なる電気的な特性を有する。このとき、一対の第１コイルを例えば電源ラインおよびグランドラインに接続した場合には、第１コイルのインピーダンスを適宜設定することによって、第１のコモンモードチョークコイルを用いてスイッチングによるコモンモードノイズを抑制することができる。一方、一対の第２コイルを例えば一対のデータラインに接続した場合には、第２コイルのインピーダンスを適宜設定することによって、第２のコモンモードチョークコイルを用いてデータラインのコモンモードノイズを抑制することができる。
【００１４】
また、第２コイルに比べて第１コイルの抵抗を低減することができるから、第１コイルに電源ラインを接続したときでも、ノーマルモードインピーダンスを低く抑えることができる。このため、コモンモードチョークコイルアレイを接続したときでも、接続機器の動作を安定させることができる。
【００１５】
さらに、一対の第２外部端子電極は一対の第１外部端子電極の間に配置する構成としたから、第１，第２外部端子電極の配置をＵＳＢコネクタの端子の配置に合わせることができる。即ち、両端側に設けられた一対の第１外部端子電極を電源ラインおよびグランドラインに接続することができ、中央側に設けられた一対の第２外部端子電極に一対のデータラインを接続することができる。このため、回路基板上のコモンモードチョークコイルとＵＳＢコネクタとの間で線路パターンが交差するような引き回しを行う必要がないから、データラインと電源ライン、グランドラインとの間でクロストークが生じることがなくなる。
【００１６】
請求項２の発明によれば、第１のコモンモードチョークコイルは一対の第１コイルを厚さ方向の両側から挟む一対の第１磁性層を備える構成としたから、第１磁性層を用いて第１のコモンモードチョークコイルのインピーダンスを高めることができる。同様に、第２のコモンモードチョークコイルは一対の第２コイルを厚さ方向の両側から挟む一対の第２磁性層を備える構成としたから、第２磁性層を用いて第２のコモンモードチョークコイルのインピーダンスを高めることができる。また、第１，第２のコモンモードチョークコイルの間には、第１磁性層と第２磁性層との間に位置して非磁性層を設ける構成としたから、非磁性層を用いて第１，第２のコモンモードチョークコイルによる磁界を確実に分離することができ、第１，第２のコモンモードチョークコイルの間のクロストークを抑制することができる。さらに、第１磁性層と第２磁性層との間には非磁性層を設ける構成としたから、第１磁性層および第２磁性層の厚さ寸法を薄くしても、クロストークの発生を抑制することができる。このため、コモンモードチョークコイルアレイ全体の厚さ寸法を小さくすることができ、小型化および薄型化を図ることができる。
【００１７】
請求項３の発明によれば、第１コイルは第２コイルよりも線路の幅寸法を大きくしたから、第２コイルに比べて第１コイルの抵抗を低下させることができる。このとき、電源ラインにはデータラインに比べて大きな電流が伝搬するから、例えば第１コイルを用いて電源信号を低損失な状態で伝送することができる。また、第１コイルは線路の幅寸法を大きく形成したから、一対の第１コイルを電源ラインおよびグランドラインに接続したときに、ノーマルモードインピーダンスを低下させることができ、接続機器の動作を安定させることができる。
【００１８】
一方、第２コイルは第１コイルよりも線路の幅寸法を小さくしたから、第１コイルに比べて第２コイルの巻き数を増加させることができる。これにより、第２コイルによるコモンモードインピーダンスを増加させることができるから、例えば第２コイルを用いてデータラインのコモンモードノイズを確実に低減することができる。
【００１９】
請求項４の発明によれば、第１コイルは第２コイルよりも線路長を短くしたから、第２コイルに比べて第１コイルの抵抗を低下させることができる。このため、例えば第１コイルを電源ラインに接続することによって、大きな電流を流すことができる。
【発明を実施するための最良の形態】
【００２０】
以下、本発明の実施の形態によるコモンモードチョークコイルアレイについて添付図面を参照しつつ詳細に説明する。
【００２１】
図１ないし図８は実施の形態によるコモンモードチョークコイルアレイ１を示している。そして、コモンモードチョークコイルアレイ１は、後述する第１のコモンモードチョークコイル３、第２のコモンモードチョークコイル１７を厚さ方向（Ｚ方向）に積み重ねた積層体２と、該積層体２の外部に設けられた外部端子電極３２〜３９によって構成されている。
【００２２】
第１のコモンモードチョークコイル３は、厚さ方向に対向して設けられた一対の第１磁性層４，５と、該第１磁性層４，５の間に挟まれた一対の第１コイル６，７によって構成されている。
【００２３】
ここで、第１磁性層４，５は、例えばフェライト等の磁性体基板を用いて形成されている。また、第１磁性層４，５の間には、後述する絶縁層８，１０，１２，１４，１６、コイル電極１１，１３等が厚み方向に積み重ねて設けられている。
【００２４】
下側絶縁層８は、下側の第１磁性層４の表面に位置して、スピン塗布法、スクリーン印刷等の方法を用いて形成されている。また、下側絶縁層８は、例えばポリイミド樹脂、エポキシ樹脂、アクリル樹脂、環状オレフィン樹脂、ベンゾシクロブテン樹脂等の種々の樹脂材料、またはＳｉＯ2等のガラス、ガラスセラミックス、誘電体材料等の非磁性体の絶縁材料が用いられる。
【００２５】
引出し電極９は、下側絶縁層８の表面に形成され、下側絶縁層８（積層体２）の内側から外縁側に向けて延びている。このとき、引出し電極９の一端側は、後述する１次コイル電極１１の内周側の端部に電気的に接続されている。一方、引出し電極９の他端側は、下側絶縁層８の外縁側に位置して電極部９Ａとなっている。また、電極部９Ａは、後述する１次コイル電極１１を挟んで電極部１１Ａとは図２中の前，後方向（Ｙ方向）の反対側に配置されている。
【００２６】
そして、図２および図３に示すように、引出し電極９の表面には、例えば下側絶縁層８と同じ材料を用いて層間絶縁層１０が形成される。この層間絶縁層１０には、例えばフォトリソグラフィ技術を用いてビアホール１０Ａが形成されている。このとき、ビアホール１０Ａは、層間絶縁層１０を貫通した状態で形成され、例えば１次コイル電極１１の内周側の端部と対応した位置に配置されている。
【００２７】
なお、フォトリソグラフィ技術を用いる場合には、層間絶縁層１０の材料として感光性機能を付加した材料が用いられる。本実施の形態では、層間絶縁層１０は、例えば感光性のポリイミド樹脂材料が用いられる。
【００２８】
１次コイル電極１１は、層間絶縁層１０の表面に設けられ、引出し電極９等と共に１次側の第１コイル６を構成している。ここで、１次コイル電極１１は、導電性に優れた材料として例えばＡｇ，Ｐｄ，Ｃｕ，Ａｌ等の金属、またはこれらの合金等を用いて形成されている。１次コイル電極１１等の電極材料と層間絶縁層１０等の絶縁材料との組み合わせは、加工性・密着性等を考慮して選択するのが望ましい。
【００２９】
そして、１次コイル電極１１は、層間絶縁層１０の表面に導電性材料膜を形成した後に、レジストの塗布、露光、現像、エッチング等の一連のフォトリソグラフィ技術を用いて渦巻状（スパイラル状）に形成される。なお、導電性材料膜は、スパッタリング、真空蒸着等の薄膜形成法、またはスクリーン印刷等の厚膜形成法といった成膜技術を用いて形成される。また、１次コイル電極１１のうち外周側の端部は、層間絶縁層１０の外縁側に位置して電極部１１Ａとなっている。一方、１次コイル電極１１のうち内周側の端部は、引出し電極９に電気的に接続されている。
【００３０】
コイル間絶縁層１２は、１次コイル電極１１の表面に位置して、例えば絶縁層８，１０と同じ材料を用いて成膜されている。そして、コイル間絶縁層１２は、１次コイル電極１１と２次コイル電極１３との間を絶縁している。
【００３１】
コイル間絶縁層１２の表面には、１次側の第１コイル６と同様な成膜工程等を繰返すことによって、１次コイル電極１１、層間絶縁層１０、引出し電極９、下側絶縁層８とほぼ同様な、２次コイル電極１３、層間絶縁層１４、引出し電極１５、上側絶縁層１６がそれぞれ形成されている。このとき、図４および図５に示すように、２次コイル電極１３は、１次コイル電極１１と同じ形状の渦巻状をなすと共に、１次コイル電極１１等を同じ方向に巻回した形状に形成されている。また、層間絶縁層１４には、２次コイル電極１３と引出し電極１５とを接続するためのスルーホール１４Ａが設けられている。
【００３２】
また、図２および図３に示すように、１次コイル電極１１、層間絶縁層１０、引出し電極９は、コイル間絶縁層１２から厚さ方向の下側に向けて順次積み重ねられている。これに対し、２次コイル電極１３、層間絶縁層１４、引出し電極１５は、コイル間絶縁層１２から厚さ方向の上側に向けて順次積み重ねられている。これにより、２次コイル電極１３は、コイル間絶縁層１２を中心として１次コイル電極１１と厚さ方向に対称な位置に配置されている。
【００３３】
そして、２次コイル電極１３および引出し電極１５によって、２次側の第１コイル７が形成されている。このため、２次側の第１コイル７は、コイル間絶縁層１２を中心として１次側の第１コイル６と厚さ方向に対して対称な形状に形成されている。また、一対の第１コイル６，７は、コイル間絶縁層１２を挟んで厚さ方向に積層され、互いに磁気的に密接に結合するものである。
【００３４】
但し、２次コイル電極１３と引出し電極１５の電極部１３Ａ，１５Ａは、図２、図４および図５に示すように、１次コイル電極１１と引出し電極９の電極部１１Ａ，９Ａと異なる位置として、例えば電極部１１Ａ，９Ａから図２中の左，右方向（Ｘ方向）に離間した位置に配置されている。また、一対の第１コイル６，７（コイル電極１１，１３および引出し電極９，１５）は、一定の線路の幅寸法Ｔ1をもって形成されている。
【００３５】
また、上側絶縁層１６は、２次側の第１コイル７と上側の第１磁性層５との間に位置して、例えば下側絶縁層８と同じ材料を用いて形成されている。このとき、上側絶縁層１６は、例えば熱硬化性のポリイミド樹脂が用いられ、第１磁性層５を２次側の第１コイル７の表面に接着するための接着剤を兼ねている。これにより、一対の第１磁性層４，５の間には、下側絶縁層８、１次側の第１コイル６、コイル間絶縁層１２、２次側の第１コイル７、上側絶縁層１６が積層されている。
【００３６】
また、第１のコモンモードチョークコイル３の厚さ方向の一側（例えば上側）には、第２のコモンモードチョークコイル１７が積み重ねられている。
【００３７】
このとき、第２のコモンモードチョークコイル１７は、厚さ方向に対向して設けられた一対の第２磁性層１８，１９と、該第２磁性層１８，１９の間に挟まれた一対の第２コイル２０，２１によって構成されている。また、第２磁性層１８，１９の間には、第１のコモンモードチョークコイル３の下側絶縁層８、引出し電極９、層間絶縁層１０、１次コイル電極１１、コイル間絶縁層１２、２次コイル電極１３、層間絶縁層１４、引出し電極１５、上側絶縁層１６とほぼ同様な、下側絶縁層２２、引出し電極２３、層間絶縁層２４、１次コイル電極２５、コイル間絶縁層２６、２次コイル電極２７、層間絶縁層２８、引出し電極２９、上側絶縁層３０が積層されている。
【００３８】
そして、１次コイル電極２５および引出し電極２３によって、１次側の第２コイル２０が形成されている。このとき、引出し電極２３の一端側は、層間絶縁層２４のビアホール２４Ａを介して、渦巻状をなす１次コイル電極２５の内周側の端部に電気的に接続されている。一方、引出し電極２３の他端側は、下側絶縁層２２の外縁側に位置して電極部２３Ａとなっている。また、１次コイル電極２５の外周側の端部は層間絶縁層２４の外縁側に位置して電極部２５Ａとなっている。そして、電極部２３Ａ，２５Ａは、１次コイル電極２５を挟んで図２中の前，後方向（Ｙ方向）の両端側に配置されている。
【００３９】
また、２次コイル電極２７および引出し電極２９によって、２次側の第２コイル２１が形成されている。このとき、引出し電極２９の一端側は、層間絶縁層２８のビアホール２８Ａを介して、渦巻状をなす２次コイル電極２７の内周側の端部に電気的に接続されている。一方、引出し電極２９の他端側は、層間絶縁層２８の外縁側に位置して電極部２９Ａとなっている。また、２次コイル電極２７の外周側の端部はコイル間絶縁層２６の外縁側に位置して電極部２７Ａとなっている。そして、電極部２７Ａ，２９Ａは、２次コイル電極２７を挟んで図２中の前，後方向（Ｙ方向）の両端側に配置されている。
【００４０】
２次側の第２コイル２１は、コイル間絶縁層２６を中心として１次側の第２コイル２０と厚さ方向に対して対称な形状に形成されている。また、一対の第２コイル２０，２１は、コイル間絶縁層２６を挟んで厚さ方向に積層され、互いに磁気的に密接に結合するものである。
【００４１】
また、２次コイル電極２７と引出し電極２９の電極部２７Ａ，２９Ａは、図２、図６および図７に示すように、１次コイル電極２５と引出し電極２３の電極部２５Ａ，２３Ａと異なる位置として、例えば電極部２５Ａ，２３Ａから図２中の左，右方向（Ｘ方向）に離間した位置に配置されている。このとき、第２のコモンモードチョークコイル１７の電極部２５Ａ，２７Ａは、左，右方向に対して第１のコモンモードチョークコイル３の電極部１１Ａ，１３Ａの間に配置されると共に、互いに隣合った位置に配置されている。同様に、第２のコモンモードチョークコイル１７の電極部２３Ａ，２９Ａは、左，右方向に対して第１のコモンモードチョークコイル３の電極部９Ａ，１５Ａの間に配置されると共に、互いに隣合った位置に配置されている。
【００４２】
さらに、一対の第２コイル２０，２１（コイル電極２５，２７および引出し電極２３，２９）は、一定の線路の幅寸法Ｔ2をもって形成されている。このとき、第２コイル２０，２１の線路の幅寸法Ｔ2は、第１コイル６，７の線路の幅寸法Ｔ1よりも小さい値に設定されている。また、第１コイル６，７は、第２コイル２０，２１よりも線路長を短くした構成となっている。
【００４３】
非磁性層３１は、第１，第２のコモンモードチョークコイル３，１７の間に設けられ、磁性層５，１８の間に配置されている。このとき、非磁性層３１は、例えば絶縁層１６等と同じく非磁性体の絶縁材料を用いて形成され、磁性層５，１８を接着する接着剤を兼ねている。即ち、積層体２は、第１，第２のコモンモードチョークコイル３，１７を別個に形成した後に、非磁性層３１を用いて貼り合わせるものである。これにより、非磁性層３１は、第１磁性層５と第２磁性層１８との間に配置されている。
【００４４】
図１に示すように、積層体２の後側端面には入力側として第１外部端子電極３２，３３と第２外部端子電極３４，３５が左，右方向（Ｘ方向）に一列に並んで設けられると共に、前側端面には出力側として第１外部端子電極３６，３７と第２外部端子電極３８，３９が左，右方向（Ｘ方向）に一列に並んで設けられている。このとき、第１外部端子電極３２，３３，３６，３７はそれぞれ電極部９Ａ，１５Ａ，１１Ａ，１３Ａに電気的に接続されている。また、第２外部端子電極３４，３５，３８，３９はそれぞれ電極部２３Ａ，２９Ａ，２５Ａ，２７Ａに電気的に接続されている。
【００４５】
ここで、一対の第２外部端子電極３４，３５は、一対の第１外部端子電極３２，３３の間に位置して、積層体２の左，右方向（Ｘ方向）の中央側に配置されている。このため、第２外部端子電極３４，３５は互いに隣合って配置されるのに対し、第１外部端子電極３２，３３は第２外部端子電極３４，３５を挟んで左，右方向の両端側に配置されている。
【００４６】
同様に、一対の第２外部端子電極３８，３９は、一対の第１外部端子電極３６，３７の間に位置して、積層体２の左，右方向（Ｘ方向）の中央側に配置されている。このため、第２外部端子電極３８，３９は互いに隣合って配置されるのに対し、第１外部端子電極３６，３７は第２外部端子電極３８，３９を挟んで左，右方向の両端側に配置されている。
【００４７】
そして、外部端子電極３２〜３９は、例えばＡｇ，Ｃｕ，ＮｉＣｒまたはＮｉＣｕ等の材料を含む導電性ペーストを塗布したり、これらの材料を蒸着、スパッタリング、無電解めっき等の手段にて形成され、積層体２の端面に堅固に密着している。さらに、必要であれば、例えば湿式電解めっきによりＮｉ，Ｓｎ，Ｓｎ−Ｐｂ等の金属膜を形成し、外部端子電極３２〜３９の膜厚を厚くしてもよい。
【００４８】
本実施の形態によるコモンモードチョークコイルアレイ１は上述の如き構成を有するもので、例えば図８に示すように、第１のコモンモードチョークコイル３をＵＳＢコネクタの電源ラインＶBUSとグランドラインＧＮＤに接続すると共に、第２のコモンモードチョークコイル１７を一対のデータラインＤ+，Ｄ-に接続する。このとき、第１のコモンモードチョークコイル３は、第１コイル６，７に互いに同じ方向の信号が伝搬するコモンモードに対して、インピーダンスが高くなる。これに対し、第１コイル６，７に互いに逆方向の信号が伝搬するノーマルモードに対して、インピーダンスが低くなる。これにより、第１のコモンモードチョークコイル３は、電源信号を伝送するのに対し、各ラインＶBUS，ＧＮＤを伝搬するコモンモードのノイズを除去する。
【００４９】
一方、第２のコモンモードチョークコイル１７は、第２コイル２０，２１に互いに同じ方向の信号が伝搬するコモンモードに対して、インピーダンスが高くなる。これに対し、第２コイル２０，２１に互いに逆方向の信号が伝搬するノーマルモードに対して、インピーダンスが低くなる。これにより、第２のコモンモードチョークコイル１７は、差動信号からなるデータ信号を伝送するのに対し、データラインＤ+，Ｄ-を伝搬するコモンモードのノイズを除去する。
【００５０】
然るに、本実施の形態では、第１コイル６，７と第２コイル２０，２１とは互いに異なる電気的な特性を有している。このとき、電源ラインＶBUSおよびグランドラインＧＮＤには、主にＩＣ内部回路のスイッチングによるコモンモードノイズが伝搬する。これに対し、一対の第１コイル６，７を電源ラインＶBUSおよびグランドラインＧＮＤに接続した場合には、第１コイル６，７のインピーダンスを適宜設定することによって、第１のコモンモードチョークコイル３を用いてスイッチングによるコモンモードノイズを抑制することができる。一方、一対の第２コイル２０，２１を一対のデータラインＤ+，Ｄ-に接続した場合には、第２コイル２０，２１のインピーダンスを適宜設定することによって、第２のコモンモードチョークコイル１７を用いてデータラインＤ+，Ｄ-のコモンモードノイズを抑制することができる。
【００５１】
また、第２コイル２０，２１に比べて第１コイル６，７の抵抗を低減することができるから、第１コイル６，７に電源ラインＶBUSを接続したときでも、ノーマルモードインピーダンスを低く抑えることができる。このため、コモンモードチョークコイルアレイ１をＵＳＢコネクタに接続したときでも、接続機器の動作を安定させることができる。
【００５２】
さらに、一対の第２外部端子電極３４，３５は一対の第１外部端子電極３２，３３の間に配置すると共に、一対の第２外部端子電極３８，３９は一対の第１外部端子電極３６，３７の間に配置する構成とした。このため、外部端子電極３２〜３９の配置をＵＳＢコネクタの端子の配置に合わせることができる。即ち、両端側に設けられた一対の第１外部端子電極３２，３３，３６，３７を電源ラインＶBUSおよびグランドラインＧＮＤに接続することができ、中央側に設けられた一対の第２外部端子電極３４，３５，３８，３９に一対のデータラインＤ+，Ｄ-を接続することができる。
【００５３】
図９に示す比較例によるコモンモードチョークコイルアレイ４１のように、第１のコモンモードチョークコイル用の第１外部端子電極４２，４３，４６，４７を隣合う位置に配置すると共に、第２のコモンモードチョークコイル用の第２外部端子電極４４，４５，４８，４９を隣合う位置に配置した場合、例えば回路基板上でグランドラインＧＮＤとデータラインＤ+，Ｄ-の線路パターンを交差させる必要がある。この場合、線路パターンが交差する箇所で信号のクロストークが生じ、データラインＤ+，Ｄ-等のノイズが増加するという問題がある。
【００５４】
これに対し、本実施の形態では、図８に示すように、回路基板上で線路パターンが交差するような引き回しを行う必要がなく、全ての線路を平行かつ直線状に延伸させることができるから、データラインＤ+，Ｄ-と電源ラインＶBUS、グランドラインＧＮＤとの間でクロストークが生じることがなくなる。
【００５５】
また、第１のコモンモードチョークコイル３は一対の第１コイル６，７を厚さ方向の両側から挟む一対の第１磁性層４，５を備える構成としたから、第１磁性層４，５を用いて第１のコモンモードチョークコイル３のインピーダンスを高めることができる。同様に、第２のコモンモードチョークコイル１７は一対の第２コイル２０，２１を厚さ方向の両側から挟む一対の第２磁性層１８，１９を備える構成としたから、第２磁性層１８，１９を用いて第２のコモンモードチョークコイル１７のインピーダンスを高めることができる。また、第１，第２のコモンモードチョークコイル３，１７の間には、第１磁性層５と第２磁性層１８との間に位置して非磁性層３１を設ける構成としたから、非磁性層３１を用いて第１，第２のコモンモードチョークコイル３，１７による磁界を確実に分離することができる。これにより、コモンモードチョークコイルアレイ１の外部で線路の引き回しに伴うクロストークを抑制できるのに加え、第１，第２のコモンモードチョークコイル３，１７の間のクロストークを抑制することができるから、データラインＤ+，Ｄ-と電源ラインＶBUS、グランドラインＧＮＤとの間のアイソレーションを高めることができる。
【００５６】
さらに、第１磁性層５と第２磁性層１８との間には非磁性層３１を設ける構成としたから、第１磁性層５および第２磁性層１８の厚さ寸法を薄くしても、クロストークの発生を抑制することができる。このため、コモンモードチョークコイルアレイ１全体の厚さ寸法を小さくすることができ、小型化および薄型化を図ることができる。
【００５７】
また、第１コイル６，７は線路の幅寸法Ｔ1を第２コイル２０，２１の線路の幅寸法Ｔ2に比べて大きく形成したから、第１コイル６，７の抵抗を低下させることができる。さらに、第１コイル６，７は第２コイル２０，２１よりも線路長を短くしたから、第２コイル２０，２１に比べて第１コイル６，７の抵抗をさらに低下させることができる。このとき、電源ラインＶBUSにはデータラインＤ+，Ｄ-に比べて大きな電流が伝搬するから、第１コイル６，７を用いて電源信号を低損失な状態で伝送することができる。また、第１コイル６，７は線路の幅寸法Ｔ1を大きく形成したから、一対の第１コイル６，７を電源ラインＶBUSおよびグランドラインＧＮＤに接続したときに、ノーマルモードインピーダンスを低下させることができ、接続機器の動作を安定させることができる。
【００５８】
一方、第２コイル２０，２１は線路の幅寸法Ｔ2を小さく形成したから、第２コイル２０，２１の巻き数を増加させることができる。これにより、第２コイル２０，２１によるコモンモードインピーダンスを増加させることができるから、データラインＤ+，Ｄ-のコモンモードノイズを確実に低減することができる。
【００５９】
なお、前記実施の形態では、積層体２の下側に電源ライン用の第１のコモンモードチョークコイル３を配置し、積層体２の上側にデータライン用の第２のコモンモードチョークコイル１７を配置する構成した。しかし、本発明はこれに限らず、第１，第２のコモンモードチョークコイルを厚さ方向で逆の位置に配置する構成としてもよい。
【００６０】
また、前記実施の形態では、単一のコモンモードチョークコイルアレイ１を形成する場合について説明したが、例えば大きな基板上に複数個のコモンモードチョークコイルアレイを形成し、その後に個々のコモンモードチョークコイルアレイを分離する構成としてもよい。
【００６１】
また、前記実施の形態では、フォトリソグラフィ技術を用いてコイル電極等を形成する構成としたが、磁性体のグリーンシートを用いて各シートにコイル電極等を印刷して積層していく印刷工法を用いる構成としてもよい。
【図面の簡単な説明】
【００６２】
【図１】本発明の実施の形態によるコモンモードチョークコイルアレイを示す斜視図である。
【図２】図１中のコモンモードチョークコイルアレイを分解して示す分解斜視図である。
【図３】実施の形態によるコモンモードチョークコイルアレイを図１中の矢示III−III方向からみた断面図である。
【図４】実施の形態による１次側の第１コイル等を図２中の矢示IV−IV方向からみた平面図である。
【図５】実施の形態による２次側の第１コイル等を図２中の矢示V−V方向からみた平面図である。
【図６】実施の形態による１次側の第２コイル等を図２中の矢示VI−VI方向からみた平面図である。
【図７】実施の形態による２次側の第２コイル等を図２中の矢示VII−VII方向からみた平面図である。
【図８】実施の形態によるコモンモードチョークコイルアレイをＵＳＢコネクタに接続した状態を示す説明図である。
【図９】比較例によるコモンモードチョークコイルアレイをＵＳＢコネクタに接続した状態を示す説明図である。
【符号の説明】
【００６３】
１  コモンモードチョークコイルアレイ
２  積層体
３  第１のコモンモードチョークコイル
４，５  第１磁性層
６，７  第１コイル
１２，２６  コイル間絶縁層（絶縁層）
１７  第２のコモンモードチョークコイル
１８，１９  第２磁性層
２０，２１  第２コイル
３１  非磁性層
３２，３３，３６，３７  第１外部端子電極
３４，３５，３８，３９  第２外部端子電極
【図１】
2009010115.tif 000003
【図２】
2009010115.tif 000004
【図３】
2009010115.tif 000005
【図４】
2009010115.tif 000006
【図５】
2009010115.tif 000007
【図６】
2009010115.tif 000008
【図７】
2009010115.tif 000009
【図８】
2009010115.tif 000010
【図９】
2009010115.tif 000011